(57)【要約】【課題】複数の装置と通信速度を含めて通常どおり接続しつつ、消費電力を有効に削減することができるようにする。【解決手段】本ネットワーク装置は、複数の入力部及び出力部と、入力部からのデータを出力部に出力するスイッチ部と、制御手段とを有する。また、複数の入力部のうち同一グループに含まれる入力部が、バッファと、バッファ及び同一グループの他の入力部におけるバッファからの出力に接続され、バッファ及び同一グループの他の入力部におけるバッファから入力されるデータを選択的に出力可能なマルチプレクサと、マルチプレクサの出力と接続され、マルチプレクサから入力されたデータに対して所定の処理を実施した後に当該所定の処理後のデータをスイッチ部へ出力する処理部とを有する。そして、制御手段は、マルチプレクサにおけるデータ出力の選択を制御すると共に、マルチプレクサ及び処理部への電力又はクロック信号の供給を制御する。【選択図】図５
2010154386.tif 000002
【特許請求の範囲】
【請求項１】
複数の入力部と、
複数の出力部と、
前記入力部から入力されたデータを、当該データの出力先の装置に係る出力部に出力するスイッチング部と、
入力制御手段と、
を有し、
前記複数の入力部のうち同一グループに含まれる入力部が、
他の装置から受信したデータを格納するためのバッファと、
前記バッファ及び前記同一グループの他の入力部におけるバッファからの出力に接続され、前記バッファ及び前記同一グループの他の入力部におけるバッファから入力されるデータを選択的に出力可能なマルチプレクサと、
前記マルチプレクサの出力と接続され、前記マルチプレクサから入力されたデータに対して所定の入力データ処理を実施した後に当該所定の入力データ処理後のデータを前記スイッチング部へ出力する入力データ処理部と、
を有し、
前記入力制御手段は、前記マルチプレクサにおけるデータ出力の選択を制御すると共に、前記マルチプレクサ及び前記入力データ処理部への電力又はクロック信号の供給を制御する
ネットワーク装置。
【請求項２】
前記入力制御手段が、省電力モードへの移行指示に応じて、前記同一グループの各入力部におけるバッファから入力されるデータを切換つつ出力するように、前記同一グループの１の入力部におけるマルチプレクサのデータ出力の選択を制御すると共に、前記同一グループの残余の入力部におけるマルチプレクサ及び入力データ処理部への電力又はクロック信号の供給を停止する
請求項１記載のネットワーク装置。
【請求項３】
前記ネットワーク装置が、
出力制御手段
をさらに有し、
前記スイッチング部が、
前記入力部から入力されたデータに、当該データの出力先の装置に接続される出力部を示す出力先情報を付加し、
前記複数の出力部のうち同一グループに含まれる出力部が、
前記スイッチング部から入力されたデータに対して、第１の出力データ処理を実施した後に当該第１の出力データ処理後のデータを出力する第１の出力データ処理部と、
前記第１の出力データ処理部の出力と接続され、前記第１の出力データ処理部から入力されたデータを格納するためのバッファと、
前記バッファ及び前記同一グループの他の出力部におけるバッファからの出力に接続され、前記バッファ及び前記同一グループの他の出力部におけるバッファから入力されるデータのうち、付加されている出力先情報により指示される出力部が自出力部であるデータを出力するマルチプレクサと、
前記マルチプレクサの出力と接続され、前記マルチプレクサから入力されたデータに対して第２の出力データ処理を実施した後に当該第２の出力データ処理後のデータを、当該データの宛先の装置に送信する第２の出力データ処理部と、
を有し、
前記出力制御手段は、
前記第１の出力データ処理部及び前記バッファへの電力又はクロック信号の供給を制御する
請求項１又は２記載のネットワーク装置。
【請求項４】
省電力モードへの移行指示に応じて、前記出力制御手段が、前記同一グループの特定の出力部以外の出力部における前記第１の出力データ処理部及び前記バッファへの電力又はクロック信号の供給を停止し、
前記スイッチング部が、前記第１の出力データ処理部及び前記バッファへの電力又はクロック信号の供給が停止された出力部が出力先であるデータを、前記特定の出力部に出力する
請求項３記載のネットワーク装置。
【請求項５】
複数の入力部と、
複数の出力部と、
前記入力部から入力されたデータに、当該データの出力先の装置に接続される出力部を示す出力先情報を付加すると共に、前記出力先情報を付加したデータを、当該データの出力先の装置に接続される出力部又は当該出力部と同一グループの別の出力部に出力するスイッチング部と、
出力制御手段と、
を有し、
前記複数の出力部のうち前記同一グループに含まれる出力部が、
前記スイッチング部から入力されたデータに対して、第１の出力データ処理を実施した後に当該第１の出力データ処理後のデータを出力する第１の出力データ処理部と、
前記第１の出力データ処理部の出力と接続され、前記第１の出力データ処理部から入力されたデータを格納するためのバッファと、
前記バッファ及び前記同一グループの他の出力部におけるバッファからの出力に接続され、前記バッファ及び前記同一グループの他の出力部におけるバッファから入力されるデータのうち、付加されている出力先情報により指示される出力部が自出力部であるデータを出力するマルチプレクサと、
前記マルチプレクサの出力と接続され、前記マルチプレクサから入力されたデータに対して第２の出力データ処理を実施した後に当該第２の出力データ処理後のデータを、当該データの宛先の装置に送信する第２の出力データ処理部と、
を有し、
前記出力制御手段は、
前記第１の出力データ処理部及び前記バッファへの電力又はクロック信号の供給を制御する
ネットワーク装置。
【発明の詳細な説明】
【技術分野】
【０００１】
本技術は、ネットワーク装置の省電力化の技術に関する。
【背景技術】
【０００２】
ネットワークに接続される機器の増加、機器の高性能化などにより、ネットワーク上のトラフィックが近年急増しており、それに伴う消費電力の増加が問題となっている。特に、例えばスイッチやルータといったネットワーク装置は、ネットワークのトラフィックの状況に関わらず、電源を切らずに稼働させ続けるのが普通であり、電力の使用効率が良くない。また、ネットワーク装置と他の装置との間の伝送レートは、両者が対応している通信規格により決まる。そして、たとえ両者の間の実際の伝送レートが、ネットワーク装置の対処可能な最大伝送レートより遅いような状況であっても、ネットワーク装置は、最大伝送レートに対処できるような状態で稼働するため、無駄に電力が使用されることが多い。
【０００３】
従来では、例えば、実際にネットワーク装置を通過しているデータ量に対応して回路に供給するクロック信号の周波数を可変にし、省電力化を図るような技術が存在する。また、例えば、スイッチ装置間をつなぐ複数の物理回線を束ねて１つの論理回線を構築し、実際のデータ伝送速度に対応してポート部分の電源のオン／オフを制御することにより論理回線の回線伝送速度を変更し、電力の消費を抑えるような技術が存在する。
【特許文献１】特開２００３−６９６０７号公報
【特許文献２】特開２００７−２２８４９１号公報
【特許文献３】特開２００２−２４７０６５号公報
【特許文献４】特開２００７−２４３７９０号公報
【発明の開示】
【発明が解決しようとする課題】
【０００４】
以上のように従来のネットワーク装置では、消費電力を十分下げることができないか、特殊な論理接続でなければ対処できないという問題がある。
【０００５】
従って、本技術の目的は、複数の装置と通信速度を含めて通常どおり接続しつつ、消費電力を有効に削減し得る新規なネットワーク装置を提供することである。
【課題を解決するための手段】
【０００６】
本技術の第１の態様に係るネットワーク装置は、複数の入力部と、複数の出力部と、入力部から入力されたデータを、当該データの出力先の装置に係る出力部に出力するスイッチング部と、入力制御手段とを有する。また、複数の入力部のうち同一グループに含まれる入力部が、他の装置から受信したデータを格納するためのバッファと、バッファ及び同一グループの他の入力部におけるバッファからの出力に接続され、バッファ及び同一グループの他の入力部におけるバッファから入力されるデータを選択的に出力可能なマルチプレクサと、マルチプレクサの出力と接続され、マルチプレクサから入力されたデータに対して所定の入力データ処理を実施した後に当該所定の入力データ処理後のデータをスイッチング部へ出力する入力データ処理部とを有する。そして、入力制御手段は、マルチプレクサにおけるデータ出力の選択を制御すると共に、マルチプレクサ及び入力データ処理部への電力又はクロック信号の供給を制御するものである。
【０００７】
本技術の第２の態様に係るネットワーク装置は、複数の入力部と、複数の出力部と、入力部から入力されたデータに、当該データの出力先の装置に接続される出力部を示す出力先情報を付加すると共に、出力先情報を付加したデータを、当該データの出力先の装置に接続される出力部又は当該出力部と同一グループの別の出力部に出力するスイッチング部と、出力制御手段とを有する。また、複数の出力部のうち同一グループに含まれる出力部が、スイッチング部から入力されたデータに対して、第１の出力データ処理を実施した後に当該第１の出力データ処理後のデータを出力する第１の出力データ処理部と、第１の出力データ処理部の出力と接続され、第１の出力データ処理部から入力されたデータを格納するためのバッファと、バッファ及び同一グループの他の出力部におけるバッファからの出力に接続され、バッファ及び同一グループの他の出力部におけるバッファから入力されるデータのうち、付加されている出力先情報により指示される出力部が自出力部であるデータを出力するマルチプレクサと、マルチプレクサの出力と接続され、マルチプレクサから入力されたデータに対して第２の出力データ処理を実施した後に当該第２の出力データ処理後のデータを、当該データの宛先の装置に送信する第２の出力データ処理部とを有する。そして、出力制御手段は、第１の出力データ処理部及びバッファへの電力又はクロック信号の供給を制御するものである。
【発明の効果】
【０００８】
複数の装置と通信速度を含めて通常どおり接続しつつ、消費電力を有効に削減することができるようになる。
【発明を実施するための最良の形態】
【０００９】
図１に、本技術の実施の形態に係るネットワークスイッチの構成を示す。例えばレイヤ２スイッチであるネットワークスイッチ１００は、図示しないポートからＬＡＮ（Local Area Network）ケーブル及びコネクタを介して図示しないコンピュータ等と接続されている。ネットワークスイッチ１００は、入力部１２１乃至１２５と、出力部１３１乃至１３５と、クロスバースイッチ１１０と、ネットワークスイッチ制御部１０１とを有する。また、クロスバースイッチ１１０は、クロスバースイッチ制御部１１１を有する。そして、入力部１２１乃至１２５、及び出力部１３１乃至１３５はそれぞれクロスバースイッチ１１０に接続されている。なお、図１では説明をわかりやすくするため、入力部１２１乃至１２５と出力部１３１乃至１３５とが分かれて配置されているように記載されている。しかし、実際は一般的なスイッチと同様に、入力部１２１乃至１２５と出力部１３１乃至１３５とはそれぞれ一対で配置されている。なお、入力部及び出力部をそれぞれ５つしか図示していないが、数に限定はない。
【００１０】
図１に示したネットワークスイッチ１００の動作について説明する。入力部１２１乃至１２５は、以下で説明するように、それぞれ入力ポートを有しており、入力ポートにおいて受信したフレームを解析する等の処理を行いクロスバースイッチ１１０に出力する。クロスバースイッチ１１０は、受け取ったフレームを、フレームの宛先の出力ポートを有する出力部１３１乃至１３５のいずれか１つへ出力する。クロスバースイッチ制御部１１１は、クロスバースイッチ１１０におけるスイッチングを制御すると共に、後で説明する出力ポート情報をフレームに付加する。出力部１３１乃至１３５は、以下で説明するように、クロスバースイッチ１１０から受け取ったフレームを出力ポートから送信するための処理を行う。ネットワークスイッチ制御部１０１は、図示はしていないが、入力部１２１乃至１２５における入力制御部と、出力部１３１乃至１３５における出力制御部と、クロスバースイッチ制御部１１１とに接続されており、これらの制御を行う。
【００１１】
図２に、入力部１２１及び１２２の第１の構成を示す。ここでは、説明をわかりやすくするために入力部１２１及び１２２を例に挙げて説明をしているが、適用する入力部の数や位置関係に限定はない。したがって、任意の組み合わせについて同構成を適用可能であり、また、特定の２つ以上の入力部にのみ同構成を適用し、それ以外は適用しないようにしてもよい。
【００１２】
まず、入力部１２１について説明する。入力部１２１は、入力インターフェース部１２１１と、調整バッファ１２１２と、マルチプレクサ１２１３と、入力フレーム前処理部１２１４と、入力バッファ１２１５と、入力フレーム後処理部１２１６と、入力制御部１２１７とを有する。一般的なスイッチと異なり、本実施の形態では、調整バッファ１２１２とマルチプレクサ１２１３とが設けられている。
【００１３】
入力インターフェース部１２１１は、調整バッファ１２１２に接続される。調整バッファ１２１２は、マルチプレクサ１２１３の入力側に接続される。また、入力部１２２における調整バッファ１２２２も、マルチプレクサ１２１３の入力側に接続される。さらに、他にも関連づけられている入力部がある場合には、当該入力部における調整バッファもマルチプレクサ１２１３の入力側に接続される。
【００１４】
マルチプレクサ１２１３の出力側は、入力フレーム前処理部１２１４に接続される。入力フレーム前処理部１２１４は、入力バッファ１２１５に接続される。入力バッファ１２１５は、入力フレーム後処理部１２１６に接続される。そして、入力フレーム後処理部１２１６は、クロスバースイッチ１１０に接続される。入力制御部１２１７は、調整バッファ１２１２及び入力部１２２乃至１２５における調整バッファと接続される。但し、入力部１２３乃至１２５における調整バッファとの接続関係については図示していない。また、入力制御部１２１７は、入力部１２１において点線で囲まれた部分に含まれるマルチプレクサ１２１３、入力フレーム前処理部１２１４、入力バッファ１２１５、及び入力フレーム後処理部１２１６に接続されている。
【００１５】
次に、入力部１２１の各機能ブロックの機能について説明する。入力インターフェース部１２１１は、ケーブル及びコネクタを介して図示しない入力ポートからデータを受信する。また、入力インターフェース部１２１１は、受信した電気や光の信号のシリアルビットストリームへの変換、パラレル変換、フレームの復号化などの処理を行う。そして、受信したフレームは調整バッファ１２１２に格納される。
【００１６】
なお、入力インターフェース部１２１１は、例えば１００ＢＡＳＥ−ＴＸや１０００ＢＡＳＥ−ＳＸといった様々な通信規格に対応可能である。そして、入力部１２１は、高速の伝送レート（例えば１０Ｇｂｐｓ）に対処可能であるとしても、実際の伝送レートが低速である場合（例えば１Ｇｂｐｓ）には、その伝送レート（１Ｇｂｐｓ）に合わせて動作する。また、本実施の形態においては、わかりやすく説明するために、入力インターフェース部１２１１及び１２２１と出力インターフェース部１３１６及び１３２６とが分かれて存在するように図示している。しかし、実際は１つのポートにおいてデータの入出力を共に行っている。
【００１７】
調整バッファ１２１２には、マルチプレクサ１２１３に入力されるフレームが一時的に格納され、フレームを出力するタイミングの調整が行われる。
【００１８】
マルチプレクサ１２１３には、調整バッファ１２１２及び関連付けられている他の入力部における調整バッファに格納されているフレームが入力される。そして、マルチプレクサ１２１３は、入力されるフレームを選択的に入力フレーム前処理部１２１４に出力する。
【００１９】
入力フレーム前処理部１２１４は、マルチプレクサ１２１３から出力されたフレームを解析してエラーのチェック等を行う。
【００２０】
入力バッファ１２１５には、入力フレーム前処理部１２１４によって処理されたフレームが入力バッファ１２１５に一時的に格納される。
【００２１】
入力フレーム後処理部１２１６は、入力バッファ１２１５に格納されているフレームを読み出し、フレームを解析して宛先のポート番号を取得する処理などを行う。
【００２２】
入力制御部１２１７は、マルチプレクサ１２１３を制御してマルチプレクサ１２１３から出力されるフレームを選択する。なお、入力制御部１２１７は、通常は入力部１２１で受信したフレームのみを出力するようにマルチプレクサ１２１３を設定しているが、後で説明するように、他の入力部で受信したフレームを出力するようにマルチプレクサ１２１３を設定する場合もある。また、入力制御部１２１７は、図２の点線で囲まれた部分に含まれるマルチプレクサ１２１３、入力フレーム前処理部１２１４、入力バッファ１２１５、及び入力フレーム後処理部１２１６への電力又はクロック信号の供給を制御する。
【００２３】
なお、入力部１２２も入力部１２１と同様に、入力インターフェース部１２２１と、調整バッファ１２２２と、マルチプレクサ１２２３と、入力フレーム前処理部１２２４と、入力バッファ１２２５と、入力フレーム後処理部１２２６と、入力制御部１２２７とを有する。これらの接続関係や機能についても、入力部１２１のものと同様であるので、ここでは説明を省略する。
【００２４】
図２に示した入力部１２１及び１２２の動作を簡単に説明しておく。ここでは、一般的なスイッチと同様の態様（以下、通常モードと呼ぶ）で動作する場合と、入力部の一部の回路への電力又はクロック信号の供給を停止した状態（以下、省電力モードと呼ぶ）で動作する場合とを説明する。
【００２５】
まず、通常モードでの動作について説明する。通常モードでは、入力制御部１２１７が、入力部１２１で受信したフレームのみをマルチプレクサ１２１３が出力するように、マルチプレクサ１２１３を設定している。また、入力制御部１２２７も、入力部１２２で受信したフレームのみをマルチプレクサ１２２３が出力するように、マルチプレクサ１２２３を設定している。
【００２６】
この場合、入力部１２１で受信したフレームは、調整バッファ１２１２に一時的に格納され、マルチプレクサ１２１３の入力側に入力される。マルチプレクサ１２１３は、入力部１２１で受信したフレームのみを出力するように設定されているので、フレームはマルチプレクサ１２１３の出力側から入力フレーム前処理部１２１４へ出力される。入力フレーム前処理部１２１４において処理を受けたフレームは、入力バッファ１２１５へ一時的に格納される。そして、フレームは入力フレーム後処理部１２１６による処理を受けた後、クロスバースイッチ１１０へ出力される。入力部１２２で受信したフレームも、同様のプロセスを経てクロスバースイッチ１１０へ出力される。なお、通常モードでは、調整バッファをバイパスすることが可能である。
【００２７】
次に、省電力モードでの動作について説明する。省電力モードで入力部を動作させれば、通常モードで動作させるよりも電力の消費を抑える事が可能である。例えば、入力部１２１及び１２２ではそれぞれ最大１０Ｇｂｐｓの伝送レートに対処可能であるにもかかわらず、それぞれの入力ポートには１００Ｍｂｐｓや１Ｇｂｐｓといった低速の伝送レートにしか対応していないコンピュータ等が接続されるような場合には、省電力モードにすることができる。
【００２８】
省電力モードでは、入力制御部１２１７は、入力部１２１で受信したフレームだけでなく、入力部１２２で受信したフレームも出力するようにマルチプレクサ１２１３を設定する（以下、入力部１２１のように、他の入力部からのフレームも受け付ける入力部のことを共通入力部と呼ぶ）。また、入力制御部１２２７は、入力部１２２内の点線で囲まれた部分への電力又はクロック信号の供給を停止する。ここでは、マルチプレクサ１２２３、入力フレーム前処理部１２２４、入力バッファ１２２５、及び入力フレーム後処理部１２２６への電力又はクロック信号の供給を停止する（以下、回路の一部への電力又はクロック信号の供給が停止された入力部のことを停止入力部と呼ぶ）。
【００２９】
この場合、共通入力部である入力部１２１で受信したフレームは、通常モードと同じプロセスを経て、クロスバースイッチ１１０へ出力される。一方、停止入力部である入力部１２２で受信したフレームは、マルチプレクサ１２２３が動作していないため、マルチプレクサ１２２３には入力されない。しかし、マルチプレクサ１２１３は、調整バッファ１２２２と接続されており、停止入力部である入力部１２２で受信したフレームも出力するように設定されている。したがって、停止入力部である入力部１２２で受信したフレームは、マルチプレクサ１２１３へ入力され、入力フレーム前処理部１２１４に出力される。そして、共通入力部である入力部１２１で受信したフレームと同じプロセスを経てクロスバースイッチ１１０へ出力される。
【００３０】
なお、ここでは入力部１２２を停止入力部とし、入力部１２１を共通入力部とした場合の動作について説明したが、入力部１２１を停止入力部とし、入力部１２２を共通入力部とするようにしてもよい。
【００３１】
このように、省電力モードでは、入力部の一部に電力又はクロック信号が供給されなくなるので、電力の消費を抑えることができる。また、入力部の処理能力を有効に利用することができる。
【００３２】
図３に、入力部１２１及び１２２の第２の構成を示す。図２と同様に、説明をわかりやすくするために入力部１２１及び１２２を例に挙げて説明をしているが、適用する入力部の数や位置関係に限定はない。したがって、任意の組み合わせについて同構成を適用可能であり、また、特定の２つ以上の入力部にのみ同構成を適用し、それ以外は適用しないようにしてもよい。
【００３３】
まず、入力部１２１について説明する。入力部１２１は、図２と同様に、入力インターフェース部１２１１と、調整バッファ１２１２と、マルチプレクサ１２１３と、入力フレーム前処理部１２１４と、入力バッファ１２１５と、入力フレーム後処理部１２１６と、入力制御部１２１７とを有する。図３の入力部１２１においても、一般的なスイッチと異なり、調整バッファ１２１２とマルチプレクサ１２１３とが設けられている。
【００３４】
入力インターフェース部１２１１は、入力フレーム前処理部１２１４に接続される。入力フレーム前処理部１２１４は、調整バッファ１２１２に接続される。調整バッファ１２１２は、マルチプレクサ１２１３の入力側に接続される。また、入力部１２２における調整バッファ１２２２も、マルチプレクサ１２１３の入力側に接続される。さらに、他にも関連づけられている入力部がある場合には、当該入力部における調整バッファもマルチプレクサ１２１３の入力側に接続される。
【００３５】
マルチプレクサ１２１３の出力側は、入力バッファ１２１５に接続される。入力バッファ１２１５は、入力フレーム後処理部１２１６に接続される。そして、入力フレーム後処理部１２１６は、クロスバースイッチ１１０に接続される。入力制御部１２１７は、調整バッファ１２１２及び入力部１２２乃至１２５における調整バッファと接続される。但し、入力部１２３乃至１２５における調整バッファとの接続関係については図示していない。また、入力制御部１２１７は、入力部１２１において点線で囲まれた部分に含まれるマルチプレクサ１２１３、入力バッファ１２１５、及び入力フレーム後処理部１２１６に接続されている。
【００３６】
このように、図３の場合には、入力フレーム前処理部１２１４を、入力インターフェース部１２１１と調整バッファ１２１２との間に設けるような構成となっている。また、入力制御部１２１７は、マルチプレクサ１２１３、入力バッファ１２１５、及び入力フレーム後処理部１２１６には接続されるが、入力フレーム前処理部１２１４には接続されない。
【００３７】
図３の入力部１２１における各機能ブロックの機能は、データの入出力の関係に違いはあるものの、図２に示した各機能ブロックの機能と同様である。したがって、ここでは説明を省略する。
【００３８】
なお、入力部１２２も入力部１２１と同様に、入力インターフェース部１２２１と、調整バッファ１２２２と、マルチプレクサ１２２３と、入力フレーム前処理部１２２４と、入力バッファ１２２５と、入力フレーム後処理部１２２６と、入力制御部１２２７とを有する。これらの接続関係や機能についても、入力部１２１のものと同様であるので、ここでは説明を省略する。
【００３９】
ここで、図３の入力部１２１及び１２２が、通常モードの場合及び省電力モードの場合にどのように動作するか簡単に説明しておく。
【００４０】
まず、通常モードについて説明する。入力制御部１２１７及び１２２７が行う設定は、図２の場合と同じである。念のため説明しておくと、入力制御部１２１７は、入力部１２１で受信したフレームのみをマルチプレクサ１２１３が出力するように、マルチプレクサ１２１３を設定する。また、入力制御部１２２７も、入力部１２２で受信したフレームのみをマルチプレクサ１２２３が出力するように、マルチプレクサ１２２３を設定する。
【００４１】
この場合、入力部１２１で受信したフレームは、入力フレーム前処理部１２１４において処理を受けた後、調整バッファ１２１２に一時的に格納され、マルチプレクサ１２１３の入力側に入力される。マルチプレクサ１２１３は入力部１２１で受信したフレームのみを出力するように設定されているので、フレームは、マルチプレクサ１２１３の出力側から出力され、入力バッファ１２１５に一時的に格納される。そして、フレームは、入力フレーム後処理部１２１６による処理を受けた後、クロスバースイッチ１１０へ出力される。入力部１２２で受信したフレームも、同様のプロセスを経てクロスバースイッチ１１０へ出力される。なお、通常モードでは、調整バッファをバイパスすることが可能である。
【００４２】
次に、省電力モードについて説明する。入力制御部１２１７及び１２２７が行う設定は、基本的には図２の場合と同じである。念のため説明しておくと、入力制御部１２１７は、入力部１２１で受信したフレームだけでなく、入力部１２２で受信したフレームも出力するようにマルチプレクサ１２１３を設定する。また、入力制御部１２２７は、入力部１２２内の点線で囲まれた部分への電力又はクロック信号の供給を停止する。但し、図３の場合には、マルチプレクサ１２２３、入力バッファ１２２５、及び入力フレーム後処理部１２２６への電力又はクロック信号の供給を停止するが、入力フレーム前処理部１２２４への電力又はクロック信号の供給は続けられる。このようにして、入力部１２１を共通入力部とし、入力部１２２を停止入力部とする。
【００４３】
この場合、共通入力部である入力部１２１で受信したフレームは、通常モードと同じプロセスを経て、クロスバースイッチ１１０へ出力される。一方、停止入力部である入力部１２２で受信したフレームは、マルチプレクサ１２２３が動作していないため、マルチプレクサ１２２３には入力されない。しかし、マルチプレクサ１２１３は、調整バッファ１２２２と接続されており、停止入力部である入力部１２２で受信したフレームも出力するように設定されている。したがって、停止入力部である入力部１２２で受信したフレームは、マルチプレクサ１２１３へ入力され、入力バッファ１２１５に出力される。そして、入力フレーム後処理部１２１６で処理を受けた後、クロスバースイッチ１１０へ出力される。
【００４４】
なお、ここでは入力部１２２を停止入力部とし、入力部１２１を共通入力部とした場合の動作について説明したが、入力部１２１を停止入力部とし、入力部１２２を共通入力部とするようにしてもよい。
【００４５】
このように、入力フレーム前処理部と入力バッファとの間に調整バッファとマルチプレクサとを設けるような構成であっても、省電力が可能になる。また、入力バッファと入力フレーム後処理部の間にマルチプレクサを設け、調整バッファを使用しないような構成としてもよい。この場合は、マルチプレクサ及び入力フレーム後処理部への電力又はクロック信号の供給を停止することにより、省電力が可能になる。なお、図２と図３とを比較するとわかるように、調整バッファ及びマルチプレクサを入力ポートに近い位置に設ける方が、より多くの回路への電力又はクロック信号の供給を停止することができるので、省電力の効果が高い。
【００４６】
ここで、入力部からフレームを受け取った、クロスバースイッチ１１０のスイッチングの動作について説明する。まず、クロスバースイッチ制御部１１１は、フレームの宛先のポート番号に対応する出力ポート情報を、図示しない記憶装置等に格納されている出力ポート情報テーブルから特定する。出力ポート情報テーブルについては、後に詳しく説明する。次に、クロスバースイッチ制御部１１１は、特定した出力ポート情報をフレームに付加する。そして、クロスバースイッチ１１０は、出力ポート情報を付加したフレームを、フレームの宛先の出力ポートを有する出力部へ出力する。後で説明するが、出力部におけるマルチプレクサでは、フレームに付加されている出力ポート情報が自ポート宛であることを示している場合に限り、フレームを出力する。したがって、たとえ他ポート宛のフレームが入力されたとしても、自ポートに出力されることはない。
【００４７】
また、後で説明するが、省電力モードでは、出力部の一部の回路への電力又はクロック信号の供給が停止される（以下、一部の回路への電力又はクロック信号の供給が停止される出力部のことを停止出力部と呼ぶ）。この場合、当該停止出力部の一部の回路は動作しなくなるので、クロスバースイッチ制御部１１１は、当該停止出力部の出力ポート宛のフレームを他の適切な出力部に出力するように、クロスバースイッチ１１０を制御する（以下、停止出力部からのフレームを受け付ける出力部のことを共通出力部と呼ぶ）。これにより、停止出力部の出力ポート宛のフレームは、共通出力部に出力されるようになる。しかし、後で説明するような出力部の構成を採用することにより、当該フレームは、共通出力部の出力ポートではなく、停止出力部の出力ポートへ適切に出力されるようになる。
【００４８】
図４に、出力ポート情報テーブルの一例を示す。図４の例では、出力ポート情報テーブルには、ポート番号の列と、出力ポート情報の列とが含まれる。ここでは、出力ポート情報をバイナリデータで示している。図４の例のように、例えばポートの数が１６個の場合には、出力ポート情報を４ビットのデータとすれば、出力ポート情報から出力ポートを一意に識別することができる。また、ポートの数がさらに多いような場合には、出力ポート情報のビット数を増やすことにより対応可能であり、ポートの数が少ないような場合には、ビット数を減らすこともできる。例えば、出力ポートＡが宛先であるフレームが、省電力モードにおいて出力ポートＢを有する出力部に出力されるような場合においても、出力ポートＡについての出力ポート情報をフレームに付加することにより、出力ポートＡに正しく出力されるようになる。
【００４９】
図５に、出力部１３１及び１３２の第１の構成を示す。ここでは、説明をわかりやすくするために出力部１３１及び１３２を例に挙げて説明をしているが、適用する出力部の数や位置関係に限定はない。したがって、任意の組み合わせについて同構成を適用可能であり、また、特定の２つ以上の出力部にのみ同構成を適用し、それ以外は適用しないようにしてもよい。
【００５０】
まず、出力部１３１について説明する。出力部１３１は、出力フレーム前処理部１３１１と、出力バッファ１３１２と、出力フレーム後処理部１３１３と、調整バッファ１３１４と、マルチプレクサ１３１５と、出力インターフェース部１３１６と、出力制御部１３１７とを有する。一般的なスイッチと異なり、本実施の形態では、調整バッファ１３１４と、マルチプレクサ１３１５とが設けられている。
【００５１】
クロスバースイッチ１１０には、出力フレーム前処理部１３１１が接続される。出力フレーム前処理部１３１１は、出力バッファ１３１２に接続される。出力バッファ１３１２は、出力フレーム後処理部１３１３に接続される。出力フレーム後処理部１３１３は、調整バッファ１３１４に接続される。調整バッファ１３１４は、マルチプレクサ１３１５の入力側に接続される。また、出力部１３２における調整バッファ１３２４も、マルチプレクサ１３１５の入力側に接続される。さらに、他にも関連づけられている出力部がある場合には、当該出力部における調整バッファもマルチプレクサ１３１５の入力側に接続される。
【００５２】
マルチプレクサ１３１５の出力側は、出力インターフェース部１３１６に接続される。出力インターフェース部１３１６は、コネクタ及びケーブルを介して図示しないコンピュータ等と接続されている。出力制御部１３１７は、調整バッファ１３１４及び出力部１３２乃至１３５における調整バッファと接続される。但し、出力部１３３乃至１３５における調整バッファとの接続関係については図示していない。また、出力制御部１３１７は、マルチプレクサ１３１５に接続されており、さらに、出力部１３１において点線で囲まれた部分に含まれる出力フレーム前処理部１３１１、出力バッファ１３１２、出力フレーム後処理部１３１３及び調整バッファ１３１４にも接続されている。
【００５３】
次に、出力部１３１の各機能ブロックの機能について説明する。出力フレーム前処理部１３１１は、フレームを解析してフレームを出力する順番を調整する処理などを行う。
【００５４】
出力バッファ１３１２には、出力フレーム前処理部１３１１によって処理されたフレームが一時的に格納される。
【００５５】
出力フレーム後処理部１３１３は、フレームのエラーをチェックするための情報を付加する処理等を行う。
【００５６】
調整バッファ１３１４は、マルチプレクサ１３１５に入力されるフレームが一時的に格納され、フレームを出力するタイミングの調整が行われる。
【００５７】
マルチプレクサ１３１５には、調整バッファ１３１４及び関連付けられている他の出力部における調整バッファに格納されているフレームが入力される。そして、マルチプレクサ１３１５は、フレームに付加されている出力ポート情報が、出力部１３１の出力ポート宛であることを示している場合に、入力されるフレームを出力インターフェース部１３１６に出力する。また、例えばマルチプレクサ１３１５は、フレームを出力する際に、フレームに付加されている出力ポート情報を取り除く。
【００５８】
出力インターフェース部１３１６では、フレームの符号化、シリアル変換、シリアルビットストリームを電気や光の信号へ変換する処理等が行われる。そして、出力インターフェース部１３１６は、コネクタ及びケーブルを介して図示しない出力ポートからデータを送信する。
【００５９】
なお、本実施の形態においては、わかりやすく説明するために、入力インターフェース部１２１１及び１２２１と出力インターフェース部１３１６及び１３２６とが分かれて存在するように図示している。しかし、実際は１つのポートにおいてデータの入出力を共に行っている。したがって、出力インターフェース部１３１６が対応している通信規格は、図２の入力インターフェース部１２１１について説明した内容のとおりである。
【００６０】
出力制御部１３１７は、マルチプレクサ１３１５を制御してマルチプレクサ１３１５から出力されるフレームを選択する。また、出力制御部１３１７は、図５の点線で囲まれた部分に含まれる出力フレーム前処理部１３１１、出力バッファ１３１２、出力フレーム後処理部１３１３、及び調整バッファ１３１４への電力又はクロック信号の供給を制御する。
【００６１】
なお、出力部１３２も出力部１３１と同様に、出力フレーム前処理部１３２１と、出力バッファ１３２２と、出力フレーム後処理部１３２３と、調整バッファ１３２４と、マルチプレクサ１３２５と、出力インターフェース部１３２６と、出力制御部１３２７とを有する。これらの接続関係や機能についても、出力部１３１のものと同様であるので、ここでは説明を省略する。
【００６２】
図５に示した出力部１３１及び１３２の動作を簡単に説明しておく。ここでは、通常モードでの動作と、出力部の一部の回路への電力又はクロック信号の供給を停止した、省電力モードでの動作とを説明する。
【００６３】
まず、通常モードでの動作について説明する。通常モードでは、クロスバースイッチ１１０は、出力部１３１に、出力部１３１の出力ポート宛のフレームのみを出力するようになっている。また、出力部１３１に出力されるフレームには、出力部１３１の出力ポート宛であることを示す出力ポート情報が付加されている。したがって、出力制御部１３１７は、出力部１３１の出力ポート宛のフレームのみを出力するように、マルチプレクサ１３１５を設定することにより、フレームが出力部１３１の出力ポートへ出力されるようにする。同様に、出力制御部１３２７も、出力部１３２の出力ポート宛のフレームのみを出力するように、マルチプレクサ１３２５を設定する。
【００６４】
この場合、出力部１３１に出力されたフレームは、出力フレーム前処理部１３１１で処理を受けた後、出力バッファ１３１２に一時的に格納される。出力バッファ１３１２に格納されたフレームは、出力フレーム後処理部１３１３で処理を受けた後、調整バッファ１３１４に一時的に格納される。調整バッファ１３１４に格納されたフレームは、マルチプレクサ１３１５の入力側に入力される。ここで、フレームに付加されている出力ポート情報は出力部１３１の出力ポート宛であることを示しており、マルチプレクサ１３１５は出力部１３１の出力ポート宛のフレームのみを出力するように設定されている。したがって、フレームは、マルチプレクサ１３１５の出力側から出力インターフェース部１３１６へ出力される。そして、出力インターフェース部１３１６は、図示しない出力ポートから、データを送信する。出力部１３２に出力されたフレームも、同様のプロセスを経て出力ポートから接続先のコンピュータ等に送信される。なお、通常モードでは、調整バッファをバイパスすることが可能である。
【００６５】
次に、省電力モードでの動作について説明する。省電力モードで出力部を動作させれば、通常モードで動作させるよりも電力の消費を抑えることが可能である。前述したように、例えば出力部１３１及び１３２ではそれぞれ最大１０Ｇｂｐｓの伝送レートに対処可能であるにもかかわらず、それぞれの出力ポートには１００Ｍｂｐｓや１Ｇｂｐｓといった低速の伝送レートにしか対応していないコンピュータ等が接続されるような場合には、省電力モードにすることができる。
【００６６】
省電力モードでは、マルチプレクサ１３１５は、出力制御部１３１７により、出力部１３１の出力ポート宛のフレームのみを出力するように設定される。一方、マルチプレクサ１３２５も、出力制御部１３２７により、出力部１３２の出力ポート宛のフレームのみを出力するように設定される。また、出力制御部１３２７は、出力部１３２内の点線で囲まれた部分への電力又はクロック信号の供給を停止する。ここでは、出力フレーム前処理部１３２１、出力バッファ１３２２、出力フレーム後処理部１３２３、及び調整バッファ１３２４への電力又はクロック信号の供給を停止する。これにより、出力部１３１が共通出力部となり、出力部１３２が停止出力部となる。
【００６７】
なお、共通出力部である出力部１３１の出力ポート宛のフレームには、当該共通出力部の出力ポート宛であることを示す出力ポート情報が付加されている。そして、当該フレームは、出力部１３１に出力された後、通常モードと同じプロセスを経て、出力ポートから接続先のコンピュータ等に送信される。これに対し、停止出力部である出力部１３２の出力ポート宛のフレームには、当該停止出力部の出力ポート宛であることを示す出力ポート情報が付加されている。しかし、当該フレームは、停止出力部である出力部１３２には出力されず、共通出力部である出力部１３１へ出力される。
【００６８】
出力部１３２の出力ポート宛であるフレームは、共通出力部である出力部１３１に出力された後、調整バッファ１３１４に格納されるまでは、出力部１３１の出力ポート宛であるフレームと同じプロセスで処理される。しかし、マルチプレクサ１３１５は、出力部１３１の出力ポート宛のフレームのみを出力するように設定されているので、出力部１３２の出力ポート宛であることを示す出力ポート情報が付加されているフレームは、マルチプレクサ１３１５からは出力されない。一方で、調整バッファ１３１４はマルチプレクサ１３２５に接続されており、マルチプレクサ１３２５は出力部１３２の出力ポート宛のフレームのみを出力するように設定されているので、出力部１３２の出力ポート宛であることを示す出力ポート情報が付加されているフレームは、マルチプレクサ１３２５から出力される。そして、出力インターフェース部１３２６が、出力ポートから接続先のコンピュータ等にフレームを送信する。このようにして、フレームが宛先のポートへ正しく出力されるようになる。
【００６９】
なお、ここでは出力部１３１を共通出力部とし、出力部１３２を停止出力部とした場合の動作について説明したが、出力部１３１を停止出力部とし、出力部１３２を共通出力部とするようにしてもよい。
【００７０】
このように、省電力モードでは、出力部の一部に電力又はクロック信号が供給されなくなるので、電力の消費を抑えることができる。また、出力部の処理能力を有効に利用することができる。
【００７１】
図６に、出力部１３１及び１３２の第２の構成を示す。図５と同様に、説明をわかりやすくするために出力部１３１及び１３２を例に挙げて説明をしているが、適用する出力部の数や位置関係に限定はない。したがって、任意の組み合わせについて同構成を適用可能であり、また、特定の２つ以上の出力部にのみ同構成を適用し、それ以外は適用しないようにしてもよい。
【００７２】
まず、出力部１３１について説明する。出力部１３１は、出力フレーム前処理部１３１１と、出力バッファ１３１２と、マルチプレクサ１３１５と、出力フレーム後処理部１３１３と、出力インターフェース部１３１６と、出力制御部１３１７とを有する。第１の構成と同様に、第２の構成においても、マルチプレクサ１３１５が設けられている。しかし、調整バッファ１３１４は設けられていない。
【００７３】
クロスバースイッチ１１０には、出力フレーム前処理部１３１１が接続される。出力フレーム前処理部１３１１は、出力バッファ１３１２に接続される。出力バッファ１３１２は、マルチプレクサ１３１５の入力側に接続される。また、出力部１３２における出力バッファ１３２２も、マルチプレクサ１３１５の入力側に接続される。さらに、他にも関連づけられている出力部がある場合には、当該出力部における出力バッファもマルチプレクサ１３１５の入力側に接続される。
【００７４】
マルチプレクサ１３１５の出力側は、出力フレーム後処理部１３１３に接続される。出力フレーム後処理部１３１３は、出力インターフェース部１３１６に接続される。出力インターフェース部１３１６は、コネクタ及びケーブルを介して図示しないコンピュータ等と接続されている。出力制御部１３１７は、出力バッファ１３１２及び出力部１３２乃至１３５における出力バッファと接続される。但し、出力部１３３乃至１３５における出力バッファとの接続関係については図示していない。また、出力制御部１３１７は、マルチプレクサ１３１５に接続されており、さらに、出力部１３１において点線で囲まれた部分に含まれる出力フレーム前処理部１３１１、及び出力バッファ１３１２にも接続されている。
【００７５】
このように、図６の場合には、マルチプレクサ１３１５を、出力バッファ１３１２と出力フレーム後処理部１３１３との間に設けるような構成となっている。また、出力制御部１３１７は、出力フレーム前処理部１３１１及び出力バッファ１３１２には接続されるが、出力フレーム後処理部１３１３には接続されない。
【００７６】
図６の出力部１３１における各機能ブロックの機能は、データの入出力の関係に違いはあるものの、図５に示した各機能ブロックの機能と同様である。したがって、ここでは説明を省略する。
【００７７】
なお、出力部１３２も出力部１３１と同様に、出力フレーム前処理部１３２１と、出力バッファ１３２２と、マルチプレクサ１３２５と、出力フレーム後処理部１３２３と、出力インターフェース部１３２６と、出力制御部１３２７とを有する。これらの接続関係や機能についても、出力部１３１のものと同様であるので、ここでは説明を省略する。
【００７８】
ここで、図６の出力部１３１及び１３２が、通常モードの場合及び省電力モードの場合にどのように動作するか簡単に説明しておく。
【００７９】
まず、通常モードでの動作について説明する。通常モードでは、クロスバースイッチ１１０は、出力部１３１に、出力部１３１の出力ポート宛のフレームのみを出力するようになっている。また、出力部１３１に出力されるフレームには、出力部１３１の出力ポート宛であることを示す出力ポート情報が付加されている。したがって、出力制御部１３１７は、出力部１３１の出力ポート宛のフレームのみを出力するように、マルチプレクサ１３１５を設定することにより、フレームが出力部１３１の出力ポートへ出力されるようにする。同様に、出力制御部１３２７も、出力部１３２の出力ポート宛のフレームのみを出力するように、マルチプレクサ１３２５を設定する。この設定は、図５の場合と同じである。
【００８０】
なお、出力部１３１に出力されたフレームは、出力フレーム前処理部１３１１で処理を受けた後、出力バッファ１３１２に一時的に格納される。出力バッファ１３１２に格納されたフレームは、マルチプレクサ１３１５の入力側に入力される。ここで、フレームに付加されている出力ポート情報は出力部１３１の出力ポート宛であることを示しており、マルチプレクサ１３１５は出力部１３１の出力ポート宛のフレームのみを出力するように設定されている。したがって、フレームは、マルチプレクサ１３１５の出力側から出力フレーム後処理部１３１３に出力される。そして、フレームは、出力フレーム後処理部１３１３で処理を受けた後、出力インターフェース部１３１６により、図示しない出力ポートから接続先のコンピュータ等に送信される。出力部１３２に出力されたフレームも、同様のプロセスを経て出力ポートから接続先のコンピュータ等に送信される。
【００８１】
次に、省電力モードでの動作について説明する。省電力モードにおいても、マルチプレクサ１３１５は、出力制御部１３１７により、出力部１３１の出力ポート宛のフレームのみを出力するように設定される。一方、マルチプレクサ１３２５も、出力制御部１３２７により、出力部１３２の出力ポート宛のフレームのみを出力するように設定される。また、出力制御部１３２７は、出力部１３２内の点線で囲まれた部分への電力又はクロック信号の供給を停止する。図５の場合と異なり、ここでは出力フレーム前処理部１３２１及び出力バッファ１３２２への電力又はクロック信号の供給を停止するが、出力フレーム後処理部１３２３への電力又はクロック信号の供給は続けられる。このようにして、出力部１３１を共通出力部とし、出力部１３２を停止出力部とする。
【００８２】
この場合、共通出力部である出力部１３１の出力ポート宛のフレームには、当該共通出力部の出力ポート宛であることを示す出力ポート情報が付加されている。そして、当該フレームは、出力部１３１に出力された後、通常モードと同じプロセスを経て、出力ポートから接続先のコンピュータ等に送信される。これに対し、停止出力部である出力部１３２の出力ポート宛のフレームには、当該停止出力部の出力ポート宛であることを示す出力ポート情報が付加されている。しかし、当該フレームは、停止出力部である出力部１３２には出力されず、共通出力部である出力部１３１へ出力される。
【００８３】
出力部１３２の出力ポート宛であるフレームは、共通出力部である出力部１３１に出力された後、出力バッファ１３１２に格納されるまでは、出力部１３１の出力ポート宛であるフレームと同じプロセスで処理される。しかし、マルチプレクサ１３１５は、出力部１３１の出力ポート宛のフレームのみを出力するように設定されているので、出力部１３２の出力ポート宛であることを示す出力ポート情報が付加されているフレームは、マルチプレクサ１３１５からは出力されない。一方で、出力バッファ１３１２はマルチプレクサ１３２５に接続されており、マルチプレクサ１３２５は出力部１３２の出力ポート宛のフレームのみを出力するように設定されているので、出力部１３２の出力ポート宛であることを示す出力ポート情報が付加されているフレームは、マルチプレクサ１３２５から出力される。そして、当該フレームは、出力フレーム後処理部１３２３で処理を受けた後、出力インターフェース部１３２６により、図示しない出力ポートから接続先のコンピュータ等に送信される。このようにして、フレームが宛先のポートへ正しく出力されるようになる。
【００８４】
なお、ここでは出力部１３１を共通出力部とし、出力部１３２を停止出力部とした場合の動作について説明したが、出力部１３１を停止出力部とし、出力部１３２を共通出力部とするようにしてもよい。
【００８５】
このように、出力バッファと出力フレーム後処理部との間にマルチプレクサを設け、調整バッファを使用しないような構成であっても、省電力が可能になる。また、出力フレーム前処理部と出力バッファとの間に調整バッファとマルチプレクサとを設けるような構成としてもよい。この場合は、出力フレーム前処理部及び調整バッファへの電力又はクロック信号の供給を停止することにより、省電力が可能になる。なお、図５と図６とを比較するとわかるように、調整バッファ及びマルチプレクサを出力ポートに近い位置に設ける方が、より多くの回路への電力又はクロック信号の供給を停止することができるので、省電力の効果が高い。
【００８６】
以上のように、図２乃至６では、入力部及び出力部の構成としてそれぞれ２つずつ示した。入力部の構成と出力部の構成との組み合わせは任意に決めることができるものであり、例えば、入力部の第１の構成と出力部の第１の構成とを組み合わせるようにしてもよいし、入力部の第１の構成と出力部の第２の構成とを組み合わせるようにしてもよい。また、入力部及び出力部のどちらか一方だけを省電力モードにしてもよいし、双方を省電力モードにし、さらに電力の消費を抑えるようにしてもよい。
【００８７】
また、上記のような構成であれば、例えば電力又はクロック信号の供給を停止する回路に故障が発生した場合においても、故障発生部分の回路を使用せず、同一グループの他の入力部又は出力部における回路を共通で使用することにより、データの処理を問題なく行うことができるようになる。
【００８８】
次に、図７乃至図１０を用いて、省電力モードにする場合に、ネットワークスイッチ１００において行われる処理について詳細に説明する。なお、以下で説明する処理は、例えば、ネットワークスイッチ１００の電源を入れた時や、ネットワークスイッチ１００のポートに新たにコンピュータ等が接続された時などに行うことができる。
【００８９】
まず、図７を用いて、ユーザからの指示を受け付け、入力部を省電力モードにする場合の処理について説明する。ここでは、入力部が図２に示された構成を有しているとして説明をする。まず、ネットワークスイッチ１００のネットワークスイッチ制御部１０１は、一部の回路への電力又はクロック信号の供給の停止指示を受け付ける（図７：ステップＳ１）。ユーザは、例えばネットワークスイッチ１００に接続されている端末（図示していない）を操作し、各ポートに接続されるコンピュータ等との間の伝送レートを把握する。前述したように、入力部は、ポートに接続されるコンピュータ等との間の伝送レートに合わせて動作する。そして、例えば入力部１２１及び１２２はそれぞれ１０Ｇｂｐｓの伝送レートに対処可能であるのに、実際の伝送レートがそれぞれ１Ｇｂｐｓであるような場合に、ユーザは省電力モードにすることを決める。ここでは、入力部１２１を共通入力部にし、入力部１２２を停止入力部にすることを、ユーザの端末がネットワークスイッチ制御部１０１に指示したものとする。この場合、入力部１２１の動作速度は、ポートに接続されるコンピュータ等との間の伝送レートが２Ｇｂｐｓである場合と同程度になると考えられるが、入力部１２１は１０Ｇｂｐｓの伝送レートまで対処可能であるので、問題はない。
【００９０】
次に、ネットワークスイッチ制御部１０１は、共通入力部の入力制御部１２１７及び停止入力部の入力制御部１２２７に、省電力モードへの移行を指示する（ステップＳ３）。
【００９１】
そして、入力部１２１の入力制御部１２１７は、ネットワークスイッチ制御部１０１からの指示を受け、マルチプレクサ１２１３の設定を変更する（ステップＳ５）。ここでは、共通入力部の調整バッファ１２１２からのフレームだけでなく、停止入力部の調整バッファ１２２２からのフレームも出力するように、マルチプレクサ１２１３の設定を変更するものとする。
【００９２】
そして、入力部１２２の入力制御部１２２７は、ネットワークスイッチ制御部１０１からの指示を受け、停止入力部の所定部分の回路への電力又はクロック信号の供給を停止する（ステップＳ７）。ここでは、マルチプレクサ１２２３、入力フレーム前処理部１２２４、入力バッファ１２２５、及び入力フレーム後処理部１２２６への電力又はクロック信号の供給を停止する。
【００９３】
以上のような処理を行えば、ネットワークスイッチを管理するユーザの判断により、入力部における電力の消費を抑えることができるようになる。また、ネットワークスイッチの入力部の処理能力を有効に利用することができるようになる。
【００９４】
次に、図８を用いて、ユーザからの指示を受け付け、出力部を省電力モードにする場合の処理について説明する。ここでは、出力部が図５に示された構成を有しているとして説明をする。まず、ネットワークスイッチ１００のネットワークスイッチ制御部１０１は、一部の回路への電力又はクロック信号の供給の停止指示を受け付ける（図８：ステップＳ１１）。ステップＳ１についての説明で述べたように、ユーザは、各ポートに接続されるコンピュータ等との間の伝送レートを把握し、省電力モードにするかを決める。ここでは、ユーザが省電力モードにすることを決め、出力部１３１を共通出力部にし、出力部１３２を停止出力部にすることを、端末を介してネットワークスイッチ制御部１０１に指示したものとする。
【００９５】
次に、ネットワークスイッチ制御部１０１は、クロスバースイッチ制御部１１１、共通出力部の出力制御部１３１７、及び停止出力部の出力制御部１３２７に、省電力モードへの移行を指示する（ステップＳ１３）。
【００９６】
そして、クロスバースイッチ１１０のクロスバースイッチ制御部１１１は、ネットワークスイッチ制御部１０１からの指示を受け、停止出力部である出力部１３２の出力ポート宛のフレームを、共通出力部である出力部１３１へ出力するように、クロスバースイッチ１１０を制御する（ステップＳ１５）。
【００９７】
そして、出力部１３１の出力制御部１３１７は、ネットワークスイッチ制御部１０１からの指示を受け、マルチプレクサ１３１５の設定を変更する（ステップＳ１７）。ここでは、出力部１３１の出力ポート宛であることを示す出力ポート情報が付加されているフレームのみを出力するように、マルチプレクサ１３１５の設定を変更する。また、出力部１３２の出力制御部１３２７は、ネットワークスイッチ制御部１０１からの指示を受け、マルチプレクサ１３２５の設定を変更する（ステップＳ１９）。ここでは、出力部１３２の出力ポート宛であることを示す出力ポート情報が付加されているフレームのみを出力するように、マルチプレクサ１３２５の設定を変更する。なお、マルチプレクサ１３１５及び１３２５は、特に設定の変更を行わなければ、それぞれ出力部１３１及び１３２の出力ポート宛のフレームのみを出力するように設定されているはずなので、ステップＳ１７及びステップＳ１９は確認の意味で行うものである。したがって、ステップＳ１７及びステップＳ１９において設定の変更を行う必要がない場合には、これらの処理をスキップすることができる。
【００９８】
そして、出力部１３２の出力制御部１３２７は、ネットワークスイッチ制御部１０１からの指示を受け、停止出力部の所定部分の回路への電力又はクロック信号の供給を停止する（ステップＳ２１）。ここでは、出力フレーム前処理部１３１１、出力バッファ１３１２、出力フレーム後処理部１３２３、及び調整バッファ１３１４への電力又はクロック信号の供給を停止する。
【００９９】
以上のような処理を行えば、ネットワークスイッチを管理するユーザの判断により、出力部における電力の消費を抑えることができるようになる。また、ネットワークスイッチの出力部の処理能力を有効に利用することができるようになる。
【０１００】
次に、図９を用いて、ユーザからの指示を受け付けずに、入力部を省電力モードにする場合の処理について説明する。ここでは、入力部が図２に示された構成を有しているとして説明をする。まず、ネットワークスイッチ１００のネットワークスイッチ制御部１０１は、リンクアップしているポートについて、接続されるコンピュータ等との間の伝送レートを確認する（ステップＳ３１）。そして、予めペアとして定められた２つのポートの伝送レートが、所定の条件を満たすか判断する（ステップＳ３３）。所定の条件とは、例えば、２つのポートの伝送レートを合計しても、入力部が対処可能な伝送レートよりも十分に遅い、というような条件とする。所定の条件を満たさないと判断された場合（ステップＳ３３：Ｎｏルート）、処理は終了する。
【０１０１】
なお、ステップＳ３３では、例えば、隣接する２ポートで構成するペアを予め定めておき、それぞれのペアについて所定の条件を満たすか判断するようにする。また、隣接していないポートのペアであってもよいし、またペアではなく３つ以上のポートで構成する組み合わせとしてもよい。また、予め組み合わせを定めておかず、ステップＳ３３が行われる段階で、リンクアップしているポートから任意に複数のポートを特定し、特定されたポートについて所定の条件を満たすか判断するようにしてもよい。但し、組み合わせの種類は、ハードウェアの実装によって決まる。
【０１０２】
一方、所定の条件を満たすと判断された場合（ステップＳ３３：Ｙｅｓルート）、ネットワークスイッチ制御部１０１は、入力制御部１２１７及び入力制御部１２２７に対し、省電力モードへの移行を指示する（ステップＳ３５）。ここでは、入力部１２１及び１２２のポートの伝送レートが所定の条件を満たしているため、ネットワークスイッチ制御部１０１が、入力部１２１を共通入力部にし、入力部１２２を停止入力部にすることを決定し、指示を出したものとする。なお、共通入力部及び停止入力部といずれの入力部にするかは、ランダムに決定してもよいし、例えばポート番号が小さい方の入力部を共通入力部にする等、予め定められた方法に従って決定するようにしてもよい。
【０１０３】
そして、入力制御部１２１７は、ネットワークスイッチ制御部１０１からの指示を受け、マルチプレクサ１２１３の設定を変更する（ステップＳ３７）。ここでは、マルチプレクサ１２１３は、共通入力部の調整バッファ１２１２からのフレームだけでなく、停止入力部の調整バッファ１２２２からのフレームも出力するように設定を変更される。
【０１０４】
そして、停止入力部の入力制御部１２２７は、ネットワークスイッチ制御部１０１からの指示を受け、停止入力部の所定部分の回路への電力又はクロック信号の供給を停止する（ステップＳ３９）。ここでは、マルチプレクサ１２２３、入力フレーム前処理部１２２４、入力バッファ１２２５、及び入力フレーム後処理部１２２６への電力又はクロック信号の供給を停止する。
【０１０５】
以上のような処理を行えば、ユーザからの指示を受け付けなくても、入力部における電力の消費を抑えることができるようになる。また、ネットワークスイッチの入力部の処理能力を有効に利用することができるようになる。
【０１０６】
次に、図１０を用いて、ユーザからの指示を受け付けずに、出力部を省電力モードにする場合の処理について説明する。ここでは、出力部が図５に示された構成を有しているとして説明をする。まず、ネットワークスイッチ１００のネットワークスイッチ制御部１０１は、リンクアップしているポートについて、接続されるコンピュータ等との間の伝送レートを確認する（ステップＳ４１）。そして、予めペアとして定められた２つのポートの伝送レートが、所定の条件を満たすか判断する（ステップＳ４３）。所定の条件とは、例えば、２つのポートの伝送レートを合計しても、出力部が対処可能な伝送レートよりも十分に遅い、というような条件とする。所定の条件を満たさないと判断された場合（ステップＳ４３：Ｎｏルート）、処理は終了する。
【０１０７】
なお、ステップＳ４３では、例えば、隣接する２ポートで構成するペアを予め定めておき、それぞれのペアについて所定の条件を満たすか判断するようにする。また、隣接していないポートのペアであってもよいし、またペアではなく３つ以上のポートで構成する組み合わせとしてもよい。また、予め組み合わせを定めておかず、ステップＳ４３が行われる段階で、リンクアップしているポートから任意に複数のポートを特定し、特定されたポートについて所定の条件を満たすか判断するようにしてもよい。但し、組み合わせの種類は、ハードウェアの実装によって決まる。
【０１０８】
一方、所定の条件を満たすと判断された場合（ステップＳ４３：Ｙｅｓルート）、ネットワークスイッチ制御部１０１は、クロスバースイッチ制御部１１１、出力制御部１３１７、及び出力制御部１３２７に対し、省電力モードへの移行を指示する（ステップＳ４５）。ここでは、出力部１３１及び１３２のポートの伝送レートが所定の条件を満たしているため、ネットワークスイッチ制御部１０１が、出力部１３１を共通出力部にし、出力部１３２を停止出力部にすることを決定し、指示を出したものとする。なお、共通出力部及び停止出力部といずれの出力部にするかは、ランダムに決定してもよいし、例えばポート番号が小さい方の出力部を共通出力部にする等、予め定められた方法に従って決定するようにしてもよい。
【０１０９】
そして、クロスバースイッチ１１０のクロスバースイッチ制御部１１１は、ネットワークスイッチ制御部１０１からの指示を受け、停止出力部である出力部１３２の出力ポート宛のフレームを、共通出力部である出力部１３１へ出力するように、クロスバースイッチ１１０を制御する（ステップＳ４７）。
【０１１０】
そして、出力部１３１の出力制御部１３１７は、ネットワークスイッチ制御部１０１からの指示を受け、マルチプレクサ１３１５の設定を変更する（ステップＳ４９）。ここでは、出力部１３１の出力ポート宛であることを示す出力ポート情報が付加されているフレームのみを出力するように、マルチプレクサ１３１５の設定を変更する。また、出力部１３２の出力制御部１３２７は、ネットワークスイッチ制御部１０１からの指示を受け、マルチプレクサ１３２５の設定を変更する（ステップＳ５１）。ここでは、出力部１３２の出力ポート宛であることを示す出力ポート情報が付加されているフレームのみを出力するように、マルチプレクサ１３２５の設定を変更する。なお、マルチプレクサ１３１５及び１３２５は、特に設定の変更を行わなければ、それぞれ出力部１３１及び１３２の出力ポート宛のフレームのみを出力するように設定されているはずなので、ステップＳ４９及びステップＳ５１は確認の意味で行うものである。したがって、ステップＳ４９及びステップＳ５１において設定の変更を行う必要がない場合には、これらの処理をスキップすることができる。
【０１１１】
また、出力部１３２の出力制御部１３２７は、ネットワークスイッチ制御部１０１からの指示を受け、停止出力部の所定部分の回路への電力又はクロック信号の供給を停止する（ステップＳ５３）。ここでは、出力フレーム前処理部１３２１、出力バッファ１３２２、出力フレーム後処理部１３２３、及び調整バッファ１３２４への電力又はクロック信号の供給を停止する。
【０１１２】
以上のような処理を行えば、ユーザからの指示を受け付けなくても、出力部における電力の消費を抑えることができるようになる。また、ネットワークスイッチの出力部の処理能力を有効に利用することができるようになる。
【０１１３】
以上、本技術の実施の形態を説明したが、本技術はこれに限定されるものではない。例えば、図２及び図３においては、入力制御部を各入力部に設けるような構成としている。しかし、例えば、ネットワークスイッチに１つの入力制御部を設けるような構成や、関連付けられている入力部のグループに対して１つの入力制御部を設けるような構成とし、その入力制御部が各入力部の制御を行うような構成とすることも可能である。出力制御部についても同様である。
【０１１４】
また、本技術はネットワークスイッチだけでなく、例えばネットワークハブやラインカードのようなネットワーク装置にも適用可能である。
【０１１５】
さらに、クロック信号については、供給を停止するだけでなく、周波数を下げることにより電力消費を抑えるようにすることも可能である。
【０１１６】
本技術の実施の形態をまとめると以下のとおりになる。
【０１１７】
本技術の第１の態様に係るネットワーク装置は、複数の入力部と、複数の出力部と、入力部から入力されたデータを、当該データの出力先の装置に係る出力部に出力するスイッチング部と、入力制御手段とを有する。また、複数の入力部のうち同一グループに含まれる入力部が、他の装置から受信したデータを格納するためのバッファと、バッファ及び同一グループの他の入力部におけるバッファからの出力に接続され、バッファ及び同一グループの他の入力部におけるバッファから入力されるデータを選択的に出力可能なマルチプレクサと、マルチプレクサの出力と接続され、マルチプレクサから入力されたデータに対して所定の入力データ処理を実施した後に当該所定の入力データ処理後のデータをスイッチング部へ出力する入力データ処理部とを有する。そして、入力制御手段は、マルチプレクサにおけるデータ出力の選択を制御すると共に、マルチプレクサ及び入力データ処理部への電力又はクロック信号の供給を制御するものである。
【０１１８】
このような構成であれば、受信データをそのまま各入力部で処理させてもよいし、受信データを同一グループで処理余力のある他の入力部に処理させてもよい。このように、例えば接続される装置／機器との通信速度等に応じて動作を切り替えることができる。特に、後者の場合には、自入力部のマルチプレクサ及び入力データ処理部は動作させる必要がないので、入力制御手段によって電力又はクロック信号の供給を停止させることも可能となり、その際には電力消費を抑えることができる。なお、グループの構成は様々な態様が可能であって、隣り合う入力部で構成してもよいし、３以上の入力部で構成しても良い。
【０１１９】
また、入力制御手段が、省電力モードへの移行指示に応じて、同一グループの各入力部におけるバッファから入力されるデータを切換つつ出力するように、同一グループの１の入力部におけるマルチプレクサのデータ出力の選択を制御すると共に、同一グループの残余の入力部におけるマルチプレクサ及び入力データ処理部への電力又はクロック信号の供給を停止するようにしてもよい。例えば、同一グループの各入力部と他の装置との間の伝送レートの合計が、入力部の対処可能な伝送レートよりも十分に遅いような場合に、省電力モードへの移行指示がなされれば、上で述べたように動作させることにより、電力消費を抑えることができるようになる。
【０１２０】
また、上で述べたネットワーク装置が、出力制御手段をさらに有し、上で述べたスイッチング部が、入力部から入力されたデータに、当該データの出力先の装置に接続される出力部を示す出力先情報を付加し、複数の出力部のうち同一グループに含まれる出力部が、スイッチング部から入力されたデータに対して、第１の出力データ処理を実施した後に当該第１の出力データ処理後のデータを出力する第１の出力データ処理部と、第１の出力データ処理部の出力と接続され、第１の出力データ処理部から入力されたデータを格納するためのバッファと、バッファ及び同一グループの他の出力部におけるバッファからの出力に接続され、バッファ及び同一グループの他の出力部におけるバッファから入力されるデータのうち、付加されている出力先情報により指示される出力部が自出力部であるデータを出力するマルチプレクサと、マルチプレクサの出力と接続され、マルチプレクサから入力されたデータに対して第２の出力データ処理を実施した後に当該第２の出力データ処理後のデータを、当該データの宛先の装置に送信する第２の出力データ処理部とを有するようにしてもよい。そして、出力制御手段は、第１の出力データ処理部及びバッファへの電力又はクロック信号の供給を制御するようにしてもよい。
【０１２１】
このような構成であれば、送信データをそのまま各出力部で処理させてもよいし、送信データを同一グループで処理余力のある他の出力部に処理させてもよい。このように、入力部と同様に、例えば接続される装置／機器との通信速度等に応じて動作を切り替えることができる。特に、後者の場合には、自出力部の第１の出力データ処理部及びバッファは動作させる必要がないので、出力制御手段によって電力又はクロック信号の供給を停止させることも可能となり、その際には電力消費をさらに抑えることができる。なお、グループの構成は様々な態様が可能であって、隣り合う出力部で構成してもよいし、３以上の出力部で構成しても良い。
【０１２２】
さらに、省電力モードへの移行指示に応じて、出力制御手段が、同一グループの特定の出力部以外の出力部における第１の出力データ処理部及びバッファへの電力又はクロック信号の供給を停止し、スイッチング部が、第１の出力データ処理部及びバッファへの電力又はクロック信号の供給が停止された出力部が出力先であるデータを、特定の出力部に出力するようにしてもよい。例えば、同一グループの各出力部と他の装置との間の伝送レートの合計が、出力部の対処可能な伝送レートよりも十分に遅いような場合に、省電力モードへの移行指示がなされれば、上記のように動作させることにより、電力消費を抑えることができる。
【０１２３】
本技術の第２の態様に係るネットワーク装置は、複数の入力部と、複数の出力部と、入力部から入力されたデータに、当該データの出力先の装置に接続される出力部を示す出力先情報を付加すると共に、出力先情報を付加したデータを、当該データの出力先の装置に接続される出力部又は当該出力部と同一グループの別の出力部に出力するスイッチング部と、出力制御手段とを有する。また、複数の出力部のうち同一グループに含まれる出力部が、スイッチング部から入力されたデータに対して、第１の出力データ処理を実施した後に当該第１の出力データ処理後のデータを出力する第１の出力データ処理部と、第１の出力データ処理部の出力と接続され、第１の出力データ処理部から入力されたデータを格納するためのバッファと、バッファ及び同一グループの他の出力部におけるバッファからの出力に接続され、バッファ及び同一グループの他の出力部におけるバッファから入力されるデータのうち、付加されている出力先情報により指示される出力部が自出力部であるデータを出力するマルチプレクサと、マルチプレクサの出力と接続され、マルチプレクサから入力されたデータに対して第２の出力データ処理を実施した後に当該第２の出力データ処理後のデータを、当該データの宛先の装置に送信する第２の出力データ処理部とを有する。そして、出力制御手段は、第１の出力データ処理部及びバッファへの電力又はクロック信号の供給を制御するものである。
【０１２４】
このような構成であれば、送信データをそのまま各出力部で処理させてもよいし、送信データを同一グループで処理余力のある他の出力部に処理させてもよい。このように、入力部と同様に、例えば接続される装置／機器との通信速度等に応じて動作を切り替えることができる。特に、後者の場合には、自出力部の第１の出力データ処理部及びバッファは動作させる必要がないので、出力制御手段によって電力又はクロック信号の供給を停止させることも可能となり、その際には電力消費を抑えることができる。なお、グループの構成は様々な態様が可能であって、隣り合う出力部で構成してもよいし、３以上の出力部で構成しても良い。
【０１２５】
以上の実施の形態に関し、さらに以下の付記を開示する。
【０１２６】
（付記１）
複数の入力部と、
複数の出力部と、
前記入力部から入力されたデータを、当該データの出力先の装置に係る出力部に出力するスイッチング部と、
入力制御手段と、
を有し、
前記複数の入力部のうち同一グループに含まれる入力部が、
他の装置から受信したデータを格納するためのバッファと、
前記バッファ及び前記同一グループの他の入力部におけるバッファからの出力に接続され、前記バッファ及び前記同一グループの他の入力部におけるバッファから入力されるデータを選択的に出力可能なマルチプレクサと、
前記マルチプレクサの出力と接続され、前記マルチプレクサから入力されたデータに対して所定の入力データ処理を実施した後に当該所定の入力データ処理後のデータを前記スイッチング部へ出力する入力データ処理部と、
を有し、
前記入力制御手段は、前記マルチプレクサにおけるデータ出力の選択を制御すると共に、前記マルチプレクサ及び前記入力データ処理部への電力又はクロック信号の供給を制御する
ネットワーク装置。
【０１２７】
（付記２）
前記入力制御手段が、省電力モードへの移行指示に応じて、前記同一グループの各入力部におけるバッファから入力されるデータを切換つつ出力するように、前記同一グループの１の入力部におけるマルチプレクサのデータ出力の選択を制御すると共に、前記同一グループの残余の入力部におけるマルチプレクサ及び入力データ処理部への電力又はクロック信号の供給を停止する
付記１記載のネットワーク装置。
【０１２８】
（付記３）
前記ネットワーク装置が、
出力制御手段
をさらに有し、
前記スイッチング部が、
前記入力部から入力されたデータに、当該データの出力先の装置に接続される出力部を示す出力先情報を付加し、
前記複数の出力部のうち同一グループに含まれる出力部が、
前記スイッチング部から入力されたデータに対して、第１の出力データ処理を実施した後に当該第１の出力データ処理後のデータを出力する第１の出力データ処理部と、
前記第１の出力データ処理部の出力と接続され、前記第１の出力データ処理部から入力されたデータを格納するためのバッファと、
前記バッファ及び前記同一グループの他の出力部におけるバッファからの出力に接続され、前記バッファ及び前記同一グループの他の出力部におけるバッファから入力されるデータのうち、付加されている出力先情報により指示される出力部が自出力部であるデータを出力するマルチプレクサと、
前記マルチプレクサの出力と接続され、前記マルチプレクサから入力されたデータに対して第２の出力データ処理を実施した後に当該第２の出力データ処理後のデータを、当該データの宛先の装置に送信する第２の出力データ処理部と、
を有し、
前記出力制御手段は、
前記第１の出力データ処理部及び前記バッファへの電力又はクロック信号の供給を制御する
付記１又は２記載のネットワーク装置。
【０１２９】
（付記４）
省電力モードへの移行指示に応じて、前記出力制御手段が、前記同一グループの特定の出力部以外の出力部における前記第１の出力データ処理部及び前記バッファへの電力又はクロック信号の供給を停止し、
前記スイッチング部が、前記第１の出力データ処理部及び前記バッファへの電力又はクロック信号の供給が停止された出力部が出力先であるデータを、前記特定の出力部に出力する
付記３記載のネットワーク装置。
【０１３０】
（付記５）
複数の入力部と、
複数の出力部と、
前記入力部から入力されたデータに、当該データの出力先の装置に接続される出力部を示す出力先情報を付加すると共に、前記出力先情報を付加したデータを、当該データの出力先の装置に接続される出力部又は当該出力部と同一グループの別の出力部に出力するスイッチング部と、
出力制御手段と、
を有し、
前記複数の出力部のうち前記同一グループに含まれる出力部が、
前記スイッチング部から入力されたデータに対して、第１の出力データ処理を実施した後に当該第１の出力データ処理後のデータを出力する第１の出力データ処理部と、
前記第１の出力データ処理部の出力と接続され、前記第１の出力データ処理部から入力されたデータを格納するためのバッファと、
前記バッファ及び前記同一グループの他の出力部におけるバッファからの出力に接続され、前記バッファ及び前記同一グループの他の出力部におけるバッファから入力されるデータのうち、付加されている出力先情報により指示される出力部が自出力部であるデータを出力するマルチプレクサと、
前記マルチプレクサの出力と接続され、前記マルチプレクサから入力されたデータに対して第２の出力データ処理を実施した後に当該第２の出力データ処理後のデータを、当該データの宛先の装置に送信する第２の出力データ処理部と、
を有し、
前記出力制御手段は、
前記第１の出力データ処理部及び前記バッファへの電力又はクロック信号の供給を制御する
ネットワーク装置。
【図面の簡単な説明】
【０１３１】
【図１】本実施の形態におけるネットワークスイッチの構成図である。
【図２】本実施の形態における入力部の第１の構成図である。
【図３】本実施の形態における入力部の第２の構成図である。
【図４】出力ポート情報テーブルの一例を示す図である。
【図５】本実施の形態における出力部の第１の構成図である。
【図６】本実施の形態における出力部の第２の構成図である。
【図７】入力部の処理フローを示す図である。
【図８】出力部の処理フローを示す図である。
【図９】入力部の処理フローを示す図である。
【図１０】出力部の処理フローを示す図である。
【符号の説明】
【０１３２】
１００  ネットワークスイッチ    １０１  ネットワークスイッチ制御部
１１０  クロスバースイッチ    １１１  クロスバースイッチ制御部
１２１，１２２，１２３，１２４，１２５  入力部
１３１，１３２，１３３，１３４，１３５  出力部
１２１１，１２２１  入力インターフェース部
１２１２，１２２２  調整バッファ
１２１３，１２２３  マルチプレクサ
１２１４，１２２４  入力フレーム前処理部
１２１５，１２２５  入力バッファ
１２１６，１２２６  入力フレーム後処理部
１２１７，１２２７  入力制御部
１３１１，１３２１  出力フレーム前処理部
１３１２，１３２２  出力バッファ
１３１３，１３２３  出力フレーム後処理部
１３１４，１３２４  調整バッファ
１３１５，１３２５  マルチプレクサ
１３１６，１３２６  出力インターフェース部
１３１７，１３２７  出力制御部
【図１】
2010154386.tif 000003
【図２】
2010154386.tif 000004
【図３】
2010154386.tif 000005
【図４】
2010154386.tif 000006
【図５】
2010154386.tif 000007
【図６】
2010154386.tif 000008
【図７】
2010154386.tif 000009
【図８】
2010154386.tif 000010
【図９】
2010154386.tif 000011
【図１０】
2010154386.tif 000012